(57)【要約】【課題】外装キャップ内に通気孔を有した内装キャップを配した構造のキャップで、該キャップを軸筒に装着・離脱することで、外装キャップ内に配したパッキン部材により通気孔を閉塞、開通させる筆記具用キャップにおいて、内装キャップが外装キャップに対しスムーズに前後動し、通気孔を確実に閉塞または開通させることができ、外装キャップの先端部分周りの外径を細くすることが可能な筆記具用キャップとする。【解決手段】一方の端部２８ａを、外径および内径が外側に拡開した拡開部２９として設けた円筒状のパッキン部材２８を、拡開部２９が自由端となるように、連結ねじ部材８にパッキン部材２８を固定する。内キャップ５を後方へ付勢するコイルバネ３２を、パッキン部材２８の内部に挿通し、一端を内装キャップ５の先端部５ａに、該先端部５ａに設けた通気孔３０を塞ぐことなく固定し、他端を連結ねじ部材８に当接する。【選択図】図２
2010076096.tif 000002
【特許請求の範囲】
【請求項１】
外装キャップ内に、先端部に通気孔を設けた内装キャップをバネにより後方へ付勢して移動可能に装着した筆記具用キャップを、筆記具本体に装着または筆記具本体から離脱した際に、内装キャップが前後動し、外装キャップ内に配したパッキン部材により通気孔を閉塞または開通する構造の筆記具用キャップであって、前記パッキン部材を、少なくとも一方の端部を開口した内筒状に形成して他方の端部を外装キャップまたは外装キャップ内に装着した部材にあるいは内装キャップの先端部に密封状態に固定して配し、前記内装キャップを後方へ付勢するバネを、パッキン部材の内部に挿通させて配し、内装キャップの前後動により、パッキン部材の一方の端部が内装キャップの先端部にあるいは外装キャップまたは外装キャップ内に装着した部材に当接または離間してなる筆記具用キャップ。
【請求項２】
前記パッキン部材の一方の端部を、外径および内径が外側に拡開した拡開部として設けたことを特徴とする、請求項１に記載の筆記具用キャップ。
【発明の詳細な説明】
【技術分野】
【０００１】
本発明は、筆記具用のキャップに関するもので、キャップを筆記具本体に装着した際に、キャップ内部の気密状態を保持するための外装キャップ内に内装キャップを配した筆記具用キャップに関する。
【背景技術】
【０００２】
従来、水性インキを使用した万年筆等の筆記具用キャップにおいては、ペン先よりインキが蒸発したり乾燥固化するのを防止するために、万年筆本体に気密状態で装着できるように、外装キャップ内に内装キャップを配した構造の筆記具用キャップが多数提案されている。
【０００３】
ところで、万年筆本体に装着するキャップにおいては、キャップを離脱するときに、キャップ内より引き抜かれた万年筆本体のペン先を装着した前軸筒の容積部分だけキャップ内の空間容積が増大して減圧状態となるため、万年筆本体内に収容されたインキがペン先から引き出されて内装キャップ内に流出し、内装キャップ内はもちろんのこと万年筆本体のペン先や前軸筒をインキで汚してしまい、使用時にインキで汚れた前軸筒に手指が触れて該手指をインキで汚したり、ペン先に溜まったインキが紙面に滴下して該紙面をインキで汚してしまうという問題があった。
【０００４】
こうした問題点を解消するために、筆記具用キャップにおいて、外装キャップ内に、先端部に通気孔を設けた内装キャップを、外装キャップ内に配したバネにより内装キャップを後方へ付勢して移動可能に装着し、通気孔を閉塞可能なパッキン部材を外装キャップ内に配し、筆記具用キャップを筆記具本体に装着した際に内装キャップが前進して前記パッキン部材により通気孔を閉塞し、内装キャップを筆記具本体から離脱した際に内装キャップが後退してパッキン部材の通気孔の閉塞が解除され、前記通気孔が開通する構造を有した筆記具用キャップは、実公昭５９−５５８７号公報、実開平４−１２００８７号公報や特開２００７−１４４９０７号公報等により知られている。
【０００５】
前記実公昭５９−５５８７号公報に開示された技術では、キャップを軸筒４０１より離脱する際の内装キャップ２６１が後退するための後方への付勢力は、キャップを軸筒４０１に装着した際のパッキン２０１の圧縮による弾発力に依存している。一般的に、実開平４−１２００８７号公報や特開２００７−１４４９０７号公報等に開示されているように、内装キャップの後方への付勢力はバネによる手段が用いられており、そのバネを使用しないという点では部品点数の削減となり製造コスト的には有利であるが、パッキン２０１が自然劣化やインキにより汚染されて劣化したりして弾発力が低下してくると、内装キャップ２６１の後退がスムーズに行なわれなくなり、内装キャップ２６１の空間容積が増大して減圧状態となり、インキがペン先から引き出されて内装キャップ２６１内に流出する虞があり、キャップを軸筒より離脱する際の内装キャップが後退するための後方への付勢力は、バネによる構造の方が得策であることを、本発明者達は知見している。
【０００６】
ところで、前記したような従来の構造においては、キャップを筆記具本体より離脱する際の内装キャップが後退するための後方への付勢力を付与するバネや内装キャップの先端部に設けた外装キャップ内に連通する孔を開閉するパッキン部材は、内装キャップの前方の空間部に設けられるのが一般的である。言い換えれば、そうした空間部を設ける必要があり、キャップの先端部においては軸径が太くなってしまい、筆記具本体を挿入する筆記具用キャップの開口部側の外径とパッキン部材を配した先端部側の外径で余り差がない形状のものとなり、デザイン状の制約がでてきてしまうという問題があった。
【特許文献１】実公昭５９−５５８７号公報
【特許文献２】実開平４−１２００８７号公報
【特許文献３】特開２００７−１４４９０７号公報
【発明の開示】
【発明が解決しようとする課題】
【０００７】
本発明は、外装キャップ内に、先端部に通気孔を設けた内装キャップをバネにより後方へ付勢して移動可能に装着した筆記具用キャップを、筆記具本体に装着または筆記具本体から離脱した際に、内装キャップが前後動し、外装キャップ内に配したパッキン部材により通気孔を閉塞または開通する構造の筆記具用キャップにおいて、内装キャップが外装キャップに対しスムーズに前後動し、内装キャップに設けた通気孔を外装キャップ内に配したパッキン部材で確実に閉塞しまたはその閉塞を解除でき、パッキン部材を配した筆記具用キャップの先端側部分周りの外径を細くすることが可能な構造を提案するものである。言い換えれば、先端側部分が先窄み状の形状の筆記具用キャップにおいても、外装キャップ内に、先端部に通気孔を設けた内装キャップをバネにより後方へ付勢して移動可能に装着した筆記具用キャップを、筆記具本体に装着または筆記具本体から離脱した際に、内装キャップが前後動し、外装キャップ内に配したパッキン部材により通気孔を閉塞または開通する構造とすることが可能な筆記具用キャップとするものである。
【課題を解決するための手段】
【０００８】
本発明は、
「１．外装キャップ内に、先端部に通気孔を設けた内装キャップをバネにより後方へ付勢して移動可能に装着した筆記具用キャップを、筆記具本体に装着または筆記具本体から離脱した際に、内装キャップが前後動し、外装キャップ内に配したパッキン部材により通気孔を閉塞または開通する構造の筆記具用キャップであって、前記パッキン部材を、少なくとも一方の端部を開口した内筒状に形成して他方の端部を外装キャップまたは外装キャップ内に装着した部材にあるいは内装キャップの先端部に密封状態に固定して配し、前記内装キャップを後方へ付勢するバネを、パッキン部材の内部に挿通させて配し、内装キャップの前後動により、パッキン部材の一方の端部が内装キャップの先端部にあるいは外装キャップまたは外装キャップ内に装着した部材に当接または離間してなる筆記具用キャップ。
２． 前記パッキン部材の一方の端部を、外径および内径が外側に拡開した拡開部として設けたことを特徴とする、前記１項に記載の筆記具用キャップ。」
である。
【０００９】
本発明において、パッキン部材の他方の端部を、外装キャップまたは外装キャップ内に装着した部材に密封状態に固定するには、例えば、パキン部材の他方の端部が閉塞された形状では、他方の端部を固定する外装キャップの内壁面にまたは外装キャップ内に装着した部材の外壁面に凹部を形成するか、または、外装キャップの内壁面にまたは外装キャップ内に装着した部材の外壁面に突部を形成し、該突部に閉塞した他方の端部が嵌着可能な凹部を形成し、該凹部に他方の端部を嵌着して接着剤で接着する等して固定すれば良い。しかし、突部を設けて凹部を形成する構造では、キャップとしての軸心方向の全長が長くなってしまうという問題があり、軸筒における軸心方向の全長とキャップにおける軸心方向の全長とのバランスを考慮すると、あまり好ましくはない。
【００１０】
また、パキン部材の他方の端部が開口した形状でも、他方の端部を外装キャップまたは外装キャップ内に装着した部材に固定する方法は前記と同じく、凹部を形成してそこに他方の端部を嵌着するが、他方の端部の端面を凹部の底面と密に当接するか、またはパキン部材の外側面と凹部を構成する内側面を密に当接するかして接着剤等で接着し気密状態とする必要がある。
【００１１】
本発明においては、パッキン部材の他方の端部を内装キャップの先端部に固定しても良い。その場合は、内装キャップの先端部に、通気孔が内在するように凹溝を形成し、または軸心方向において前方に向かって突出した突部を形成して凹溝設け、パッキン部材の他方の端部を凹溝に密に嵌入して接着する等して固定する。
【００１２】
本発明において、内装キャップを後方へ付勢するバネの一端を内装キャップの先端部に固定するには、内装キャップの先端部に通気孔が内在するように突部を形成し、該突部をバネの内径に嵌着する方法や、内装キャップの先端部に通気孔に連通する凹部を形成し、該凹部にバネの外径が圧接するようにバネを嵌入して固定する方法等があるが、特に限定されるものではない。。
【発明の効果】
【００１３】
本発明は、内装キャップを後方に付勢するのにバネの弾発力を利用しているので、内装キャップを筆記具本体から離脱する際に、内装キャップは外装キャップに対しスムーズに後退し、パッキン部材により閉塞された通気孔は確実に開通することができ、したがって、内装キャップを筆記具本体から離脱した際の内装キャップ内の空間容積が増大することによる減圧状態とならないので、インキがペン先から引き出されて内装キャップ内に流出し、筆記具本体をインキで汚してしまうことや手指を流出したインキで汚してしまうということもない。また、パッキン部材の内部に前記バネを配したので、パッキン部材やバネを配するのに必要な外装キャップ内の空間容積を従来の構造のものに比べて広くする必要もなく、外装キャップの先端部分周りの外径を細くすることができる。
【００１４】
請求項２に係る発明とすることで、パッキン部材の一方の端部が当接する内装キャップの先端部あるいは外装キャップまたは外装キャップ内に装着した部材に、拡開部が外側に拡開して当接するので当接した部分が確実に密接状態となる。また、パッキン部材が劣化して弾性力が若干低下しても、拡開部は外側に拡開して当接可能であり密接状態を維持することができるという利点もある。またさらに、一方の端部が当接した際に、一方の端部が内側に変形することがないので、内装キャップを後方へ付勢するためのバネに当接して、バネの後方への付勢を妨げることがないので、内装キャップを筆記具本体から離脱する際に、内装キャップを外装キャップに対し常にスムーズに後退させることができる。
【発明を実施するための最良の形態】
【００１５】
本発明は、内装キャップを後方に付勢するためのバネを、内装キャップの先端部に設けた通気孔を閉塞するためのパッキン部材の内部に挿通させて配設する。
【実施例】
【００１６】
本発明の実施例を図面を用いて説明する。本実施例では万年筆における筆記具用キャップとして説明するが、本発明は万年筆のキャップに限定されるものではない。同じ部材、同じ箇所を示す場合は同じ符号を付してある。
【００１７】
図１〜図３は、本発明の第１の実施例の万年筆のキャップ１を示す。金属製の外装キャップ２は、先端側（図１において左側）を先窄み形状とし、先端に内方に突出した鍔部３を有し、開口した後端部２ｂの内壁面にはリング状の凹溝４を設けてある。樹脂製の内装キャップ５は、閉塞した先端部５ａと開口した後端部５ｂとで構成された円筒状で先窄み状に形成されている。内装キャップの後端部５ｂの前記外装キャップ２の凹溝４に対向した位置の外周面には、周状に配列した複数の係止突部６を設けてある。外装キャップ２内に内装キャップ５を挿入し、前記係止突部６を凹溝４に係止することにより、内装キャップ５が外装キャップ２から離脱することなく前方（図１において左側方向）に移動可能に挿着してある。凹溝４は軸心方向において係止突部６軸心方向の幅より長く設けてあり、内装キャップ５は外装キャップ２に対して前進（図において左側方向）可能に挿着してある。外装キャップ２と内装キャップ５との間には隙間が形成してあり、内装キャップ５の前方空間部７は、前記外装キャップ２と内装キャップ５との間の隙間と係止突部６の間の隙間を通って外方と連通している。
【００１８】
外装キャップ２の先端部２ａには、本体部８ａと該本体部８ａより外径が大径な当接部８ｂとで構成された連結ねじ部材８を、当接部８ｂを外装キャップ２の前記鍔部３に当接し、本体部８ａを外装キャップ２の先端に設けられた係止孔９より前方に突出させて装着してある。本体部８ａには前方（図１において左側）に開口した係合凹部１０を形成してあり、本体部８ａの外周には雄ねじ部１１を設けてある。
【００１９】
一体に形成したクリップ１２を有し、先端に円錐状の窪み部１３を有した頭冠筒１４の内部には、コ字型状で内周面に前記連結ねじ部材８の雄ねじ部に１１にねじ嵌合可能な雌ねじ部１５を有し、底部１６に孔１７を有した被連結ねじ部材１８を、前記窪み部１３に形成した内部に貫通する貫通孔１９に、頭部２０ａとねじ部２０ｂで構成された頭ビス２０の雄ねじ部２０ｂを窪み部１３側から挿入し、ねじ部２０ｂを前記被連結ねじ部材１８の孔１７に挿入し、内側に被連結ねじ部材１８を介在して頭ビス用ナット２１をねじ嵌合することで、頭冠筒１４内に固定して設けてある。頭ビス２０の頭部２０ａには、凹部２０ｃを形成して該凹部２０ｃに頭冠飾り２２を接着してある。（図２を参照）
【００２０】
前記頭冠筒１４は、被連結ねじ部材１８の雌ねじ部１５を連結ねじ部材８の雄ねじ部１１にねじ嵌合することで、外装キャップ２の先端に連結している。
【００２１】
連結ねじ部材８の本体部８ａの前端に形成した係合凹部１０に、前記頭ビス２０のねじ部２０ｂおよび頭ビス用ナット２１の後端の一部を挿入して、頭冠筒１４の軸心方向の全長が長くならないようにしてある。本体部８ａの係合凹部１０の後方には隔壁２３を介して、コイルバネ用凹部２４を設けてある。該コイルバネ用凹部２４の後方には、内径が大径なパッキン用凹部２５が形成してある。該パッキン用凹部２５の内周面にはリング状に内方に突出した嵌合突部２６を設けてあり、外周に前記嵌合突部２６に対応して形成したリング状の嵌合凹溝２７を有し、後方側（内装キャップ側）の開口した一方の端部２８ａをラッパ状に拡開した外径および内径を有する拡開部２９とした円筒状のパッキン部材２８を、嵌合突部２６を嵌合凹溝２７に嵌合することで、連結ねじ部材８にパッキン部材２８を固定してある。
【００２２】
外装キャップ２内には、前記したように内装キャップ５が外装キャップ２に対して前進（図において左側方向）可能に挿着してあるが、内装キャップ５の閉塞した先端部５ａには内外に貫通した通気孔３０を設けてある。また先端部５ａには、通気孔３０に連通し、該通気孔３０の内径より大径なコイルバネ嵌合凹部３１を設けてあり、コイルバネ３２の一端をコイルバネ嵌合凹部３１に圧入状態で挿入し固定してある。前記コイルバネ３２は、前記パッキン部材２８の内部に遊嵌して、他端を連結ねじ部材８のコイルバネ用凹部２４の底部２４ａとなる隔壁２３に当接してある。
【００２３】
図３に示すように、筆記具用キャップ１を、金属製の前軸筒１０１の先端に一体に形成した筒状ペン１０２を有する万年筆本体１０３に装着すると、内装キャップ５は前軸筒１０１に押されて前進し、連結ねじ部材８に固定したパッキン部材２８の拡開部２９が内装キャップ５の先端部５ａに当接する。これにより、パッキン部材２８の内部および連結ねじ部材８のパッキン用凹部２５とコイルバネ用凹部２４と内装キャップ５の先端部５ａに形成したコイルバネ用嵌合凹部３１と通気孔３０とで形成される空間部：Ａと、内装キャップ５内の前軸筒１０１を除いた部分の空間部：Ｂは密封状態となる。
【００２４】
図４、第２の実施例のキャップ４１を示す。第１の実施例におけるパッキン部材２８において、本実施例のパッキン部材４２は底部４３を有した形状とした以外は、第１の実施例と同様の構造としてあり、内装キャップ５の先端部５ａに設けたコイルバネ嵌合凹部３１に、一端を圧入状態で挿入し固定したコイルバネ３２の他端を、前記パッキン部材４２の底部４３に当接したものである。
【００２５】
図示していないが、本実施例の筆記具用キャップ４１を、第１の実施例と同様に万年筆本体に装着すると、内装キャップ５は前軸筒に押されて前進し、連結ねじ部材８に固定したパッキン部材４２の拡開部４４が内装キャップ５の先端部５ａに当接し、パッキン部材４２の内部および内装キャップ５の先端部５ａに形成したコイルバネ用嵌合凹部３１と通気孔３０とで形成される空間部と、内装キャップ５内の前軸筒を除いた部分の空間部は密封状態となる。
【００２６】
図５は、本発明の第３の実施例のキャップ５１を示す。第１の実施例における連結ねじ部材８と同様に被連結ねじ部材１７とねじ嵌合して配した連結ねじ部材５２は、第１の実施例における連結ねじ部材８と同様に、本体部５２ａと該本体部５２ａより外径が大径な当接部５２ｂとで構成してある。本体部５２ａと当接部５２ｂには、第１の実施例と同様のコイルバネ用凹部５３を設けてあり、第１の実施例の連結ねじ部材８のようにパッキン用凹部は設けていない。
【００２７】
第１の実施例における内装キャップ５と同様に形成して同様に配した内装キャップ５の先端部５ａには、第１の実施例と同様に、通気孔３０を設けてあり、該通気孔３０の前方には通気孔３０に連通し、該通気孔３０の内径より大径なコイルバネ嵌合凹部３２を設け、コイルバネ３２の一端をコイルバネ嵌合凹部３１に圧入状態で挿入し固定して設けてある。コイルバネ３２の他端は、連結ねじ部材５２のコイルバネ用凹部５３の底部となる、本体部５２ａの前方（図１において左側）に開口して設けた係合凹部５４とコイルバネ用凹部５３との隔壁５４に当接してある。
【００２８】
前記先端部５ａに設けたコイルバネ嵌合凹部３１より外側に位置したリング状のパッキン用凹溝５６を形成してあり、前方側（図４において左側）の開口した一方の端部５７ａをラッパ状に拡開した外径および内径を有する拡開部５８とした円筒状のパッキン部材５７を、該パッキン部材５７の他方の端部５７ｂを前記パッキン用凹溝５６に挿入して接着し、固定してある。コイルバネ３２は、前記パッキン部材５７の内部に位置させてある。
【００２９】
図示していないが、筆記具用キャップ５１を、第１の実施例と同様に、万年筆本体の前軸筒に装着すると、内装キャップ５は前軸筒に押されて前進し、内装キャップ５に取付けたパッキン部材５７の拡開部５８が連結ねじ部材５２の後端面５９に当接し、パッキン部材５７の内部および連結ねじ部材５２のコイルバネ用凹部５３と内装キャップ５の先端部５ａに形成したコイルバネ用嵌合凹部３１と通気孔３０とで形成される空間部と、内装キャップ５内の前軸筒を除いた部分の空間部は密封状態となる。
【産業上の利用可能性】
【００３０】
本発明は、外装キャップ内に通気孔を有した内装キャップを配し、内装キャップを軸筒に装着・離脱することで、前記通気孔をパッキン部材により閉塞、開通させる筆記具用キャップに採用できるものである。
【図面の簡単な説明】
【００３１】
【図１】本発明に係る第１の実施例を示す、キャップの側面の端面図である。
【図２】図１における、要部の拡大図である。
【図３】図１において、キャップに万年筆本体を装着した状態を示す、側面の一部を端面とした図である。
【図４】本発明に係る第２の実施例を示す、キャップの側面の端面図である。
【図５】本発明に係る第３の実施例を示す、キャップの側面の端面図である。
【符号の説明】
【００３２】
１、４１、５１  筆記具用キャップ
２  外装キャップ
５  内装キャップ
８、５２  連結ねじ部材
２４  コイルバネ用凹部
２４ａ  底部
２８、４２、５７  パッキン部材
２９、４４、５８  拡開部
３０  通気孔
３２  コイルバネ
【図１】
2010076096.tif 000003
【図２】
2010076096.tif 000004
【図３】
2010076096.tif 000005
【図４】
2010076096.tif 000006
【図５】
2010076096.tif 000007